(57)【要約】      （修正有）【課題】扉の開閉スペースの制限、扉や板を外した後の保管スペースの制限、および扉なし時の接触による危険性の抑制ができる簡易シャッターキャビネットを提供する。【解決手段】キャビネットにおいて、実装された電気電子機器または端子板等への接触を抑制する接触抑制部材ｂとして、ネットをキャビネットの前面開口部、または背面開口部、または側面開口部に取付け、開口部に向かって右端または左端のキャビネットフレームに水平方向に回転する垂直軸の巻き取り部ａを取付け、ネットを巻き取る構造とする。接触抑制部材は、透明または半透明状のシートとしてもよい。【選択図】図１
0003192634.tif 000002
【実用新案登録請求の範囲】
【請求項１】
キャビネットにおいて、実装された電気電子機器または端子板等への接触を抑制する接触抑制部材にネットを使用して、右または左にて巻取り可能なことを特徴とする簡易シャッターキャビネット。
【請求項２】
接触抑制部材の巻取りを左右し両開きにすることにより、複数台をまとめて全開放または１台分解放と自由に選択可能なことを特徴とする請求項１記載の簡易シャッターキャビネット。
【請求項３】
接触抑制部材を、透明または半透明または不透明のシート状であることを特徴とする請求項１記載の簡易シャッターキャビネット。
【考案の詳細な説明】
【技術分野】
【０００１】本考案はキャビネットにおいて、実装された電気電子機器または端子板等への接触を抑制する接触抑制部材を巻取り可能なキャビネットに関するものである。
【背景技術】
【０００２】電気電子機器または端子板等を実装したキャビネットを設置する際に設置スペースの都合により、扉の開閉スペースが狭く片開き扉が難しい場合に観音開き扉、または板、または扉なしで使用している。【０００３】しかし観音開き扉にしても、図５の様に扉の開閉スペースがキャビネットの幅の約半分は必要になってしまう。【０００４】そして観音開き扉、または板にしても、電気電子機器または端子板等の実装時、またはメンテナンス時において、作業性の向上の為に扉または板の取り外し作業が必要になり、外した扉または板を保管するスペースも必要になってしまうという問題があった。【０００５】さらに、観音開き扉または板の場合、実装された電気電子機器または端子板等が、目視し難いという問題もあった。【０００６】また、扉なしで使用した場合、扉の開閉スペースや、取り外した扉または板の保管スペースは必要なくなるが、電気電子機器や端子板等に触れてしまう事がある為、危険と隣り合わせである問題もあった。
【先行技術文献】
【特許文献】
【０００７】
【特許文献１】特開２０１２−１５６３６０号公報
【考案が解決しようとする課題】
【０００８】本考案は上記した従来の問題点を解決して、キャビネットの扉の開閉スペースや、取り外した扉または板の保管スペース、または電気電子機器や端子板等への関係者以外の者による接触抑制と、目視可能な簡易シャッターキャビネットを提供することを目的とするものである。
【課題を解決するための手段】
【０００９】上記の課題を解決するためになされた本考案は、キャビネットにおいて実装された電気電子機器または端子板等への接触を抑制する接触抑制部材にネットを使用して、右または左にて巻取り可能で、さらに目視可能としたことを特徴とするものである。
【００１０】なお、接触抑制部材の両側部をガイドにより支持することにより、隙間発生を防ぎ面外変形を少なく抑えることができる。
【００１１】そしてキャビネットにおいて、接触抑制部材の巻取りを左右にし両開きにすることにより、複数台をまとめて全開放、または１台分の解放など自由に選択可能とすることができる。
【考案の効果】
【００１２】本考案の簡易シャッターキャビネットは、キャビネットにおいて、右または左に巻取り可能な接触抑制部材を設けたものであるため、接触抑制部材を巻取り状態より引き出すことにより、実装された電気電子機器または端子板等を目視可能で、さらに接触抑制を可能とすることができる。
【００１３】また接触抑制部材が巻取り可能なため、扉の開閉スペースは必要なく、扉または板を取り外す必要もないため、取り外した扉または板の保管スペースも必要としない。
【００１４】なお、接触抑制部材の両側部をガイドにより支持していることにより、電気電子機器等の空気流によるばたつきも抑えることができる。
【００１５】さらに、キャビネットにおいて、接触抑制部材の巻取りを左右両開きにすることにより、複数台をまとめて全開放、または１台分の解放など自由に選択可能とし、低コスト化や軽量化になる。
【図面の簡単な説明】
【００１６】
【図１】簡易シャッターキャビネットの斜視図である。
【図２】簡易シャッターキャビネットの開閉スペース図である。
【図３】左右両開きにより、複数台まとめた簡易シャッターキャビネットの斜視図である。
【図４】簡易シャッターキャビネットに鍵を取り付けた斜視図である。
【図５】従来キャビネットの扉開閉スペース図である。
【考案を実施するための形態】
【００１７】図１は、正面右に接触抑制部材ｂの巻取り部ａを設置した、簡易シャッターキャビネットの斜視図である。簡易シャッターは、作業時等の接触や地震を考慮して取付金具ｅ、またはねじ固定することが望ましい。しかし条件によりマグネット固定なども可能である。
【００１８】巻取り部ａより接触抑制部材ｂを引き出したり引き込んだりする際に、上下にある接触抑制部材の両側部ガイドｃにより支持していることにより、隙間発生を防ぎ面外変形を抑えることができ、実装された電気電子機器や端子板等への接触を抑制することができる。そして接触抑制部材ｂは引き込んだ時、巻取り部ａに収納されているため、電気電子機器または端子板等の実装時や、メンテナンス時に邪魔になりにくいため取り外す必要がなく、そして巻取り部ａの中に巻取り軸が収納されており、引き込み時はこの巻取り軸に自ら巻き取ることができる構造になっている。
【００１９】図２は、簡易シャッターキャビネットの開閉スペース図である。ガイドｃに沿ってスライドする事により、図５に示した従来の扉の開閉スペースを必要としないため、省スペースでも自由な開閉作業を行うことができる。
【００２０】接触抑制部材ｂとしては、金属製ではなく、例えば樹脂や繊維等を用いたネット、透明または半透明状のシートなどの種類を選択することで実装された電気電子機器や端子板等を目視できる。通風を考慮する場合はネットとし、遮蔽を考慮する場合は透明または半透明のシートを選択すると適当である。また目視が必要ないときには、不透明のシートも選択可能である。
【００２１】図３は、左右両開きにより３台をまとめた簡易シャッターキャビネットの例を示すもので、左右にある巻取り部ａに接触抑制部材ｂをすべて巻き取ることで、全開放を可能とする。この時キャビネット１と２、キャビネット２と３の間には、接触抑制部材ｂの巻取り部ａなどが必要なくなるため、作業性が向上する。またストッパー機構ｄを使用することによりキャビネット１のみ解放、キャビネット２のみ解放、キャビネット３のみ解放と自由に選択が可能となる。
【００２２】このように構成された本考案の簡易シャッターキャビネットは、接触抑制部材ｂにより実装された電気電子機器や端子板等への接触抑制、目視を可能とし、扉の開閉スペースを無くすことで省スペースでの作業効率、非接触率を向上させることができる。
【００２３】また、図４の様にセキュリティーを向上させるため、鍵を取り付けて接触抑制部材ｂの開閉を制御することも可能となる。
【符号の説明】
【００２４】ａ  巻取り部
ｂ  接触抑制部材
ｃ  ガイド
ｄ  ストッパー機構
ｅ  取付金具
ｆ  鍵
【図１】
0003192634.tif 000003
【図２】
0003192634.tif 000004
【図３】
0003192634.tif 000005
【図４】
0003192634.tif 000006
【図５】
0003192634.tif 000007
【手続補正書】
【提出日】平成26年5月29日(2014.5.29)
【手続補正１】
【補正対象書類名】実用新案登録請求の範囲
【補正対象項目名】全文
【補正方法】変更
【補正の内容】
【実用新案登録請求の範囲】
【請求項１】
キャビネットにおいて、実装された電気電子機器または端子板等への接触を抑制する接触抑制部材としてのネットを、キャビネットの前面開口部、または背面開口部、または側面開口部に取付け、開口部に向かって右端または左端のキャビネットフレームに水平方向に回転する垂直軸の巻き取り部を取付け、前記ネットを巻き取る構造としたことを特徴とする簡易シャッターキャビネット。
【請求項２】
複数台のキャビネットを横方向に連結設置する場合、連結した左右両端のキャビネットの端部側のキャビネットフレームに前記巻き取り部をそれぞれ１本ずつ取付け、前記ネットを左右両開きにできるようにし、前記ネットが左右方向の任意の位置で止められるよう、前記ネットの引出し部にロッド棒またはワイヤー等を使用したラッチによるストッパー機構を取付け、上部固定金具および、下部固定金具にストッパー機構固定部を取り付け、前記ラッチが差し込めるか、または引っ掛かるようにし、連結したすべてのキャビネットを全閉、または全開放、または１台分解放など自由に選択可能な構造としたことを特徴とする請求項１記載の簡易シャッターキャビネット。
【請求項３】
前記接触抑制部材としてネットの代わりに、透明または半透明または不透明のシートを使用したことを特徴とする請求項１記載の簡易シャッターキャビネット。
【手続補正２】
【補正対象書類名】明細書
【補正対象項目名】全文
【補正方法】変更
【補正の内容】
【考案の詳細な説明】
【技術分野】
【０００１】本考案はキャビネットにおいて、実装された電気電子機器または端子板等への接触を抑制する接触抑制部材を巻取り可能なキャビネットに関するものである。
【背景技術】
【０００２】電気電子機器または端子板等を実装したキャビネットを設置する際に設置スペースの都合により、扉の開閉スペースが狭く片開き扉が難しい場合に観音開き扉、または板、または扉なしで使用している。【０００３】しかし観音開き扉にしても、図７に示したように扉の開閉スペースがキャビネットの幅の約半分は必要になってしまう。【０００４】そして観音開き扉、または板にしても、電気電子機器または端子板等の実装時、またはメンテナンス時において、作業性の向上の為に扉または板の取り外し作業が必要になり、外した扉または板を保管するスペースも必要になってしまうという問題があった。【０００５】さらに、観音開き扉または板の場合、実装された電気電子機器または端子板等が目視し難いという問題もあった。【０００６】また、扉なしで使用した場合、扉の開閉スペースや、取り外した扉または板の保管スペースは必要なくなるが、電気電子機器や端子板等に触れてしまう事がある為、危険と隣り合わせである問題もあった。
【先行技術文献】
【特許文献】
【０００７】
【特許文献１】特開２０１２−１５６３６０号公報
【考案が解決しようとする課題】
【０００８】本考案は上記した従来の問題点を解決して、キャビネットの扉の開閉スペースや、取り外した扉または板の保管スペース、または電気電子機器や端子板等への関係者以外の者による接触抑制と、目視可能な簡易シャッターキャビネットを提供することを目的とするものである。
【課題を解決するための手段】
【０００９】上記の課題を解決するためになされた本考案は、キャビネットにおいて実装された電気電子機器または端子板等への接触を抑制する接触抑制部材にネットを使用した図３に示した簡易シャッターを、キャビネットの前面開口部、または背面開口部、または側面開口部に取付け、開口部に向かって右端または左端のキャビネットフレームに水平方向に回転する垂直軸の巻き取り部を取付け、上記ネットを巻き取る構造とし、さらに目視可能としたことを特徴とするものである。
【００１０】なお、上記ネットの両側部をガイドにより支持することにより、隙間発生を防ぎ面外変形を少なく抑えることができる。
【００１１】そしてキャビネットにおいて、複数台のキャビネットを横方向に連結設置する場合、連結した左右両端のキャビネットの端部側のキャビネットフレームに上記巻き取り部をそれぞれ１本ずつ取付け、上記ネットを左右両開きにできるようにし、上記ネットが左右方向の任意の位置で止められるよう、上記ネットの引出し部にロッド棒またはワイヤー等を使用したラッチによるストッパー機構を取付け、上部固定金具および、下部固定金具にストッパー機構固定部を設け、上記ラッチが差し込めるか、または引っ掛かるようにし、連結したすべてのキャビネットを全閉、または全開放、または１台分解放など自由に選択可能な構造とすることができる。
【考案の効果】
【００１２】本考案の簡易シャッターキャビネットは、キャビネットにおいて、開口部に向かって右端または左端に上記巻取り部を取付けて巻取り可能な上記ネットを設けたものであるため、上記ネットを巻取り状態より引き出すことにより、実装された電気電子機器または端子板等を目視可能で、さらに接触抑制を可能とすることができる。
【００１３】また上記ネットが巻取り可能なため、扉の開閉スペースは必要なく、扉または板を取り外す必要もないため、取り外した扉または板の保管スペースも必要としない。
【００１４】なお、上記ネットの両側部を上記ガイドにより支持していることにより、電気電子機器等に取付けられたファンなどにより発生する空気流によるばたつきも抑えることができる。
【００１５】さらに、キャビネットにおいて、複数台のキャビネットを横方向に連結設置する場合、連結した左右両端のキャビネットの端部側のキャビネットフレームに上記巻き取り部をそれぞれ１本ずつ取付け、上記ネットを左右両開きにできることにより、複数台をまとめて全開放、または１台分の解放など自由に選択可能とし、低コスト化や軽量化になる。
【図面の簡単な説明】
【００１６】
【図１】簡易シャッターキャビネットの斜視図である。
【図２】簡易シャッターキャビネットに錠を取付けた斜視図である。
【図３】簡易シャッターの斜視図である。
【図４】簡易シャッターキャビネットの縦断面図である。
【図５】簡易シャッターキャビネットの横断面図である。
【図６】簡易シャッターキャビネットの開閉ペース図である。
【図７】従来キャビネットの扉開閉スペース図である。
【図８】３台のキャビネットを横方向に連結設置した時の簡易シャッターキャビネットの斜視図である。
【図９】３台のキャビネットを横方向に連結設置した時の簡易シャッターキャビネットの横断面図である。
【図１０】３台のキャビネットを横方向に連結設置した時の簡易シャッターキャビネットの縦断面図下部部分である。
【考案を実施するための形態】
【００１７】図１は、キャビネットの前面開口部に、開口部に向かって右端のキャビネットフレームに水平方向に回転する垂直軸の上記巻き取り部ａを取付け、上記ネットを巻き取る構造とした、簡易シャッターキャビネットの斜視図である。図３で示した簡易シャッターの取付けは、電気電子機器または端子板等の実装時やメンテナンス時の接触、地震を考慮して上記下部固定金具ｆと上記上部固定金具ｇを使用し固定することが望ましい。しかし条件により金具を仕様せずマグネットなどにて固定することも可能である。
【００１８】上記巻取り部ａより上記ネットｂを引き出したり引き込んだりする際に、図４に示したように上記ネットｂの両側部を上下にある上記ガイドｃにより支持していることにより、隙間発生を防ぎ面外変形も抑えることができ、実装された電気電子機器や端子板等への接触を抑制することができる。そして上記ネットｂは引き込んだ時、上記巻取り部ａに収納されているため、電気電子機器または端子板等の実装時や、メンテナンス時に邪魔になりにくいため取り外す必要がなく、そして上記巻取り部ａの中に巻取り軸ｅが収納されており、引き込み時はこの上記巻取り軸ｅに自ら巻き取ることができる構造になっている。
【００１９】また、図２に示したようにセキュリティーを向上させるため、錠ｈと錠固定金具ｉを取付け前記ネットｂが閉じた状態で施錠することができる。
【００２０】図６は、簡易シャッターキャビネットの開閉スペース図である。図４に示したように上下にある上記ガイドｃに沿ってスライドする事により、図７に示した従来の扉の開閉スペースを必要としないため、省スペースでも自由な開閉作業を行うことができる。
【００２１】接触抑制部材としては、金属製だけではなく例えば樹脂や繊維等を用いたネット、透明または半透明状のシートなどを選択することで実装された電気電子機器や端子板等を目視できる。通気性を考慮する場合はネットとし、遮蔽を考慮する場合は透明または半透明のシートを選択すると適当である。また遮蔽を考慮し目視が必要ないときには、不透明のシートも選択可能である。
【００２２】図８は、連結したキャビネットの左右端部側のキャビネットフレームに上記巻き取り部ａをそれぞれ１本ずつ取付け、上記ネットｂを左右両開きにできるようにし、上記ネットｂが左右方向の任意の位置で止められるよう、図１０で示したように上記ロッド棒またはワイヤーｌを使用した上記ラッチｍによる上記ストッパー機構ｊを取付け、上記上部固定金具ｇ、および上記下部固定金具ｆに上記ストッパー機構固定部ｋを設け、上記ラッチｍが差し込めるかまたは引っ掛かるようにし、連結したすべてのキャビネットを全閉または全開放、または１台分解放など自由に選択可能な構造とした３台の時の簡易シャッターキャビネットの例を示すものである。左右にある上記巻取り部ａに上記ネットｂをすべて巻き取ることで、全開放を可能とする。この時図９に示したようにキャビネット１とキャビネット２、キャビネット２とキャビネット３の間には、上記巻取り部ａなどが必要なくなるため、作業性が向上する。また上記ストッパー機構ｊを使用することによりキャビネット１のみ解放、キャビネット２のみ解放、キャビネット３のみ解放と自由に選択が可能となる。
【００２３】このように構成された本考案の簡易シャッターキャビネットは、上記ネットｂにより実装された電気電子機器や端子板等への接触抑制、目視を可能とし、扉の開閉スペースを無くすことで省スペースでの作業効率、非接触率を向上させることができる。
【符号の説明】
【００２４】ａ  巻取り部ｂ  ネットｃ  ガイドｄ  簡易シャッターｅ  巻取り軸ｆ  下部固定金具ｇ  上部固定金具ｈ  錠ｉ  錠固定金具ｊ  ストッパー機構ｋ  ストッパー機構固定部ｌ  ロッド棒またはワイヤーｍ  ラッチ
【手続補正３】
【補正対象書類名】図面
【補正対象項目名】全図
【補正方法】変更
【補正の内容】
【図１】
0003192634.tif 000008
【図２】
0003192634.tif 000009
【図３】
0003192634.tif 000010
【図４】
0003192634.tif 000011
【図５】
0003192634.tif 000012
【図６】
0003192634.tif 000013
【図７】
0003192634.tif 000014
【図８】
0003192634.tif 000015
【図９】
0003192634.tif 000016
【図１０】
0003192634.tif 000017